(57)【要約】【課題】平行する２条の各エンドレス状主務チェーンの伸び又はその切断を簡易な方法で検出するようことができるようにしたチェーンの異常検出装置を提供すること。【解決手段】平行する２条のエンドレス状の主務チェーン１Ａ、１Ｂ間に掛け渡すようにして取り付けたフライト３の左右移動ずれを、各エンドレス状主務チェーン１Ａ、１Ｂの定位置に取り付けたストライカ４Ａ、４Ｂを固定側に配設した検出器５Ａ、５Ｂにて個別に検出し、これを設定値と比較することで主務チェーン１Ａ、１Ｂの伸び又は切断を判定する。【選択図】図２
2007125487.tif 000002
【特許請求の範囲】
【請求項１】
平行する２条のエンドレス状の主務チェーン間に掛け渡すようにして取り付けたフライトの左右移動ずれを、各エンドレス状主務チェーンの定位置に取り付けたストライカを固定側に配設した検出器にて個別に検出し、これを設定値と比較することで主務チェーンの伸び又は切断を判定することができるように構成したことを特徴とするチェーンの異常検出装置。
【請求項２】
平行する２条の各主務チェーンに取り付ける１組のストライカにおいて、一方のストライカを他方のストライカよりも予め設定した時間、先行するようにして取り付けて構成したことを特徴とする請求項１記載のチェーンの異常検出装置。
【請求項３】
一方の主務チェーンに取り付けられたストライカ検出後、予め設定した時間経過後に他方の主務チェーンに取り付けられたストライカ検出をした場合を異常と検出するようにしたことを特徴とする請求項１又は２記載のチェーンの異常検出装置。
【請求項４】
平行する２条の主務チェーンに取り付ける２組のストライカを、各組の先行するストライカの取付位置を逆にして取り付けるように構成したことを特徴とする請求項１、２又は３記載のチェーンの異常検出装置。
【請求項５】
検出器を、近接スイッチとしたことを特徴とする請求項１、２、３又は４記載のチェーンの異常検出装置。
【発明の詳細な説明】
【技術分野】
【０００１】
本発明は、チェーンの異常検出装置に関し、特に、下水処理場に設置された汚泥掻寄機（沈砂掻寄機も含む）や、河川の排水ポンプ場などで使用される除塵機等において、フライトやレーキを取り付けたエンドレス状の主務チェンの許容範囲以上の伸び或いはその切断等の異常が発生した場合、迅速に、かつ確実に検知するようにしたチェーンの異常検出装置に関するものである。
【背景技術】
【０００２】
従来、下水処理場に設置される汚泥掻寄機（沈砂掻寄機も含む）は、沈砂池に沿って張架されるエンドレス状の主務チェーンに、定間隔に多数のフライトを配設するようにして、池底に沈殿する汚泥や沈砂を池端底に配設したピット内に掻き寄せるようにしている。
また、河川の排水ポンプ場などで使用される除塵機は、該排水ポンプ場池に沿って張設されるエンドレス状の主務チェーンに、定間隔に多数のレーキを配設するようにし、これによりスクリーンにて補足されたし渣をスクリーンに沿って駆動されるレーキにて掻き揚げ、排出するようにしている。
【０００３】
ところで、この汚泥掻寄機や除塵機には、池内壁に沿うようにして２条のエンドレス状の主務チェーンを駆動可能に張架し、この対向するエンドレス状の主務チェーン間に掛け渡すようにして、かつその長手方向に所定間隔毎にフライトやレーキを取り付け、該エンドレス状の主務チェーンを噛合した１つ或いは２つのスプロケットホイールを駆動することで、該フライト又はレーキを取り付けたエンドレス状の主務チェーンを駆動するようにしている。
【０００４】
しかしながら、２条平行としたエンドレス状の主務チェーンの駆動に際しては、該エンドレス状の主務チェーン間に掛け渡すようにしてフライト又はレーキを取り付けているため、沈砂掻寄機や除塵機を正常に運転する場合には、この２条のエンドレス状の主務チェーンは完全に同期して駆動する必要があるが、従来はこの２条のエンドレス状の主務チェンの切断のみを、水中軸スプロケットホイールに取り付けた近接スイッチ等の検出器にてその回転数の低下を検出して行うようにしているので、該主務チェンの切断を検知することができても、各エンドレス状の主務チェーンの伸びやその伸び量を検出することができず、また水中部に配設した検出器のメンテナンスに手数を要するという問題があった。
【０００５】
また、左右両主務チェーンの伸びが異なり、さらにはその伸び量が許容された設定値以上に大きくなる場合、２条平行とした各エンドレス状の主務チェーンに掛け渡すようにして取り付けられたフライト又はレーキは、フライト又はレーキの左右の主務チェーンとの取付位置にずれを起こすようになり、やがてこの取付位置の偏位は平行する２条のエンドレス状主務チェーンの運行に支障をきたすようになって、時には沈砂掻寄機や除塵機を破損したり、不測の事態に発展するという問題があった。
【発明の開示】
【発明が解決しようとする課題】
【０００６】
本発明は、チェーンの異常検出装置の有する問題点に鑑み、平行する２条の各エンドレス状主務チェーンの伸び又はその切断を簡易な方法で検出するようことができるようにしたチェーンの異常検出装置を提供することを目的とする。
【課題を解決するための手段】
【０００７】
上記目的を達成するため、本発明のチェーンの異常検出装置は、平行する２条のエンドレス状の主務チェーン間に掛け渡すようにして取り付けたフライトの左右移動ずれを、各エンドレス状主務チェーンの定位置に取り付けたストライカを固定側に配設した検出器にて個別に検出し、これを設定値と比較することで主務チェーンの伸び又は切断を判定することができるように構成したことを特徴とする。
【０００８】
この場合において、平行する２条の各主務チェーンに取り付ける１組のストライカにおいて、一方のストライカを他方のストライカよりも予め設定した時間、先行するようにして取り付けることができる。
【０００９】
また、一方の主務チェーンに取り付けられたストライカ検出後、予め設定した時間経過後に他方の主務チェーンに取り付けられたストライカ検出をした場合を異常と判定検出するようにすることができる。
【００１０】
また、平行する２条の主務チェーンに取り付ける２組のストライカを、各組の先行するストライカの取付位置を逆とすることができる。
【００１１】
また、検出器を、近接スイッチとすることができる。
【発明の効果】
【００１２】
本発明のチェーンの異常検出装置によれば、平行する２条のエンドレス状の主務チェーン間に掛け渡すようにして取り付けたフライトの左右移動ずれを、各主務チェーンの定位置に取り付けたストライカを固定側に配設した検出器にて個別に検出し、これを設定値と比較することで主務チェーンの伸び又は切断を判定することができるように構成することにより、簡単な方法で平行する２条のエンドレス状主務チェーンのいずれか一方のチェーンの伸び及び／又は切断を確実に検知することができるので、機械装置の破損や不測の事故を未然に防止し、常に機械装置の正常運転を行うことができる。
【００１３】
また、平行する２条の各主務チェーンに取り付ける１組のストライカにおいて、一方のストライカを他方のストライカよりも予め設定した時間、先行するようにして取り付けているから、主務チェーンの延び、切断などの異常を精度良く、正確に行うことができる。
【００１４】
また、一方の主務チェーンに取り付けられたストライカ検出後、予め設定した時間経過後に他方の主務チェーンに取り付けられたストライカ検出をした場合を異常と検出するようにすることにより、機械装置の大きさに応じて変化する主務チェーンの全長に対応して、主務チェーンの許容範囲内の伸び量を設定できるので、機械装置特に主務チェーンの長さに応じた適正な判定をすることができる。
【００１５】
また、平行する２条の主務チェーンに取り付ける２組のストライカを、各組の先行するストライカの取付位置を逆とすることで、主務チェーン毎の延びと切断の異常を容易に検出することができる。
【００１６】
また、検出器を、近接スイッチとすることにより、構造を簡単にして検知を確実に行え、かつメンテナンスも簡易に行える。
【発明を実施するための最良の形態】
【００１７】
以下、本発明のチェーンの異常検出装置の実施の形態を、図面に基づいて説明する。
【実施例１】
【００１８】
図１〜図６に、本発明のチェーンの異常検出装置の一実施例を示す。
この実施例は、図１に示すように、汚泥掻寄機Ｃに適用したもので、汚泥沈殿池Ｐ内の長手方向に沿って、かつその槽底Ｐａと水面位置を巡回するようにしてエンドレス状の主務チェーン１（１Ａ、１Ｂ）の２条を、複数の箇所に配設したスプロケットホイール２１、２２、２３、２４、２５にそれぞれ噛合するようにして張架するとともに、この平行する２条のエンドレス状主務チェーン１Ａ、１Ｂ間に掛け渡すようにして、かつエンドレス状主務チェーン１Ａ、１Ｂの長手方向に沿って所定間隔毎に複数のフライト３、３を取り付け、これによりエンドレス状主務チェーン１Ａ、１Ｂの巡回駆動により槽底Ｐａに沿ってフライト３を移動させることで、槽底Ｐａに沈殿した汚泥或いは沈砂ＤをピットＰｐ側に掻き寄せるようにする。
【００１９】
この平行する２条のエンドレス状主務チェーン１Ａ、１Ｂの一部に、ストライカ４（４Ａ、４Ｂ）をそれぞれ取り付けるとともに、エンドレス状主務チェーン１Ａ、１Ｂを、該エンドレス状主務チェーン１Ａ、１Ｂの少なくとも１つに噛合したスプロケットホイール２１をモータ６にて駆動することにより、該エンドレス状主務チェーン１Ａ、１Ｂが巡回駆動する際、この運行軌跡の定位置にて該ストライカ４（４Ａ、４Ｂ）をそれぞれ検出するようにして固定側に近接スイッチ等の検出器５（５Ａ、５Ｂ）を配設する。
この場合、２つの検出器５Ａ、５Ｂはそれぞれ対向する位置に配設するが、平行する２条のエンドレス状の左右両主務チェーン１Ａ、１Ｂに取り付けるストライカ４Ａ、４Ｂの間隔は、主務チェーン１Ａ、１Ｂの進行方向に対してその取付間隔ｔ０をあけるようにする。これにより、２条のエンドレス状主務チェーン１Ａ、１Ｂが定速で駆動される時、それぞれのストライカ４Ａ、４Ｂを検出器５Ａ、５Ｂにて予め設定した時間ｔ０のずれを生じるように設定する。
なお、ストライカ４Ａ、４Ｂは、エンドレス状の左右両主務チェーン１Ａ、１Ｂ間に掛け渡して取り付けたフライト３のうち、その任意の１つに、図５に示すように、その左右両端部にそれぞれ取り付けることもできる。この場合も、ストライカ４Ａ、４Ｂの取付間隔は間隔ｔ０を有するようにし、主務チェーンの長手方向に沿って予め設定した時間の間に移動するようにして設定する。
【００２０】
なお、２条のエンドレス状主務チェーン１Ａ、１Ｂに沿って定間隔ｔ１で取り付けるフライト３、３の間隔を定速度で駆動される時、この間隔ｔ１はフライト移動時間ｔ１となるようにする。
また、平行する２条の各主務チェーンには、少なくとも２組以上のストライカを取り付ける。この場合は、各組の先行するストライカの取付位置、即ち先行するストライカの取付位置を逆とすることで、主務チェーン毎の延びと切断の異常を容易に検出することができる。
【００２１】
次に、本発明のチェーンの異常検出装置の作用について、図６に示すフローチャートに基づいて説明する。
汚泥掻寄機Ｃを駆動する場合はモータ６を駆動する。これによりモータ６を介してスプロケットホイール２１を定速駆動すると、該駆動スプロケットホイール２１に噛合された平行する２条のエンドレス状主務チェーン１Ａ、１Ｂは同時に、かつ等速で駆動される。この２条のエンドレス状主務チェーン１Ａ、１Ｂにそれぞれ取り付けられたストライカ４Ａ、４Ｂもエンドレス状主務チェーン１Ａ、１Ｂの駆動に伴って移動する。
【００２２】
このとき、一方のエンドレス状主務チェーン１Ａに取り付けたストライカ４Ａを、固定側に取り付けられた検出器５Ａにて検出しても、さらに継続してエンドレス状主務チェーン１Ａ、１Ｂが駆動されて、予め設定した時間ｔ０を経過（タイムアップ）する前に、他方のエンドレス状主務チェーン１Ｂに取り付けたストライカ４Ｂを検出器５Ｂにて検出されるまで継続運転され、そしてストライカ４Ｂを検出器５Ｂにて検出されると、平行する２条のエンドレス状主務チェーン１Ａ、１Ｂは、共に正常に運行されているものと判定され、連続して駆動され槽底に沈殿或いは堆積した汚泥の掻き寄せ運転が行われる。
【００２３】
しかし、一方のエンドレス状主務チェーン１Ａに取り付けられたストライカ４Ａを検出器５Ａにて検出し、かつ予め設定した時間ｔ０を経過（タイムアップ）した後に、他方のエンドレス状主務チェーン１Ｂに取り付けられたストライカ４Ｂを検出器５Ｂにて検出されると、エンドレス状主務チェーン１Ｂが伸びていると検出し、主務チェーン１Ｂの異常と判定され、エンドレス状主務チェーン１Ｂの異常を報知する共に汚泥掻寄機Ｃを直ちに停止し、汚泥掻寄機Ｃの駆動運転を終了する。
なお、この場合、異常と判定されたエンドレス状主務チェーン１Ｂの伸びを調整した後、運転を再開することができる。
【００２４】
また、エンドレス状主務チェーン１Ａに取り付けられたストライカ４Ａを検出器５Ａにて検出し、かつ予め設定した時間ｔ０を経過（タイムアップ）した後も、他方のエンドレス状主務チェーン１Ｂに取り付けられたストライカ４Ｂを検出器５Ｂにて検出しない場合、これはエンドレス状主務チェーン１Ｂの切断として検出し、エンドレス状主務チェーン１Ｂの異常を報知する共に、汚泥掻寄機Ｃを停止し、汚泥掻寄機Ｃの駆動運転を終了する。
なお、この場合は、エンドレス状主務チェーン１Ｂの接続或いは交換した後、運転を再開することができる。
【００２５】
また、エンドレス状主務チェーン１Ａに取り付けられたストライカ４Ａを検出器５Ａにて検出せず、また他方のエンドレス状主務チェーン１Ｂに取り付けられたストライカ４Ｂも検出器５Ｂにても検出されない場合は、主務チェーン１Ａ、１Ｂは共に正常と判断して運転は継続される。
【００２６】
また、他方のエンドレス状主務チェーン１Ａの延びと切断を検出するには、ストライカ４Ａとストライカ４Ｂとの取り付けを逆にした、ストライカ４Ｂ側をストライカ４Ａ側よりも先行するようにしてもう１対のストライカをエンドレス状主務チェーン１Ａ、１Ｂを取り付けて行う。
この場合は、エンドレス状主務チェーン１Ａに取り付けられたストライカ４Ａを検出器５Ａにて検出せず、また他方のエンドレス状主務チェーン１Ｂに取り付けられたストライカ４Ｂを検出器５Ｂにて検出され、かつもう１組のストライカ４Ａを検出した場合、エンドレス状主務チェーン１Ａが許容範囲以上に延びたことを検出してエンドレス状主務チェーン１Ａの異常を報知する共に汚泥掻寄機Ｃを停止し、汚泥掻寄機Ｃの駆動運転を終了する。
このとき、もう１組のストライカ４Ａを検出しなかった場合、エンドレス状主務チェーン１Ａが切断されたものとして検出し、エンドレス状主務チェーン１Ａの異常を報知する共に汚泥掻寄機Ｃを停止し、汚泥掻寄機Ｃの駆動運転を終了する。
【００２７】
このようにして、平行して張架駆動される２条のエンドレス状主務チェーン１Ａ、１Ｂのそれぞれ設定された許容範囲以上の伸びによる異常と切断による異常とを、各主務チェーン１Ａ、１Ｂに取り付けられたストライカ４Ａ、４Ｂと、それぞれを検出するようにした検出器５Ａ、５Ｂによる簡易な方法で迅速に、かつ正確に検知することができる。
このエンドレス状主務チェーン１Ａの異常を検出した場合も、該エンドレス状主務チェーン１Ａの接続或いは交換した後、運転を再開することができる。
なお、上記実施例では、２条のエンドレス状主務チェーン１Ａ、１Ｂに対して、１対の検出器５Ａ、５Ｂを採用しているが、この検出器５Ａ、５Ｂを２対或いはそれ以上を設置することもできる。
【００２８】
以上、本発明のチェーンの異常検出装置について、実施例に基づいて説明したが、本発明は上記実施例に記載した構成に限定されるものではなく、その趣旨を逸脱しない範囲において適宜その構成を変更することができるものである。
【産業上の利用可能性】
【００２９】
本発明のチェーンの異常検出装置は、平行する２条の各エンドレス状主務チェーンの伸び又はその切断を簡易な方法で検出するようことができることから、沈砂掻寄機や除塵機の用途に好適に用いることができるほか、例えば、エンドレス状主務チェーンを用いた搬送装置のチェーンの異常を検出する用途にも用いることができる。
【図面の簡単な説明】
【００３０】
【図１】本発明のチェーンの異常検出装置を汚泥掻寄機に適用した一実施例を示す正面図である。
【図２】同側面縦断面図である。
【図３】同平面図である。
【図４】異常検出部の拡大側面図である。
【図５】チェーンの異常検出の説明図である。
【図６】チェーンの異常検出のフローチャートである。
【符号の説明】
【００３１】
Ｃ    汚泥掻寄機
Ｄ    汚泥或いは沈砂
Ｐ    汚泥沈殿池
ｔ０  予め設定した時間
ｔ１  フライト移動時間
１、１Ａ、１Ｂ  エンドレス状主務チェーン
２１、２２、２３、２４、２５  スプロケットホイール
３    フライト
４、４Ａ、４Ｂ  ストライカ
５、５Ａ、５Ｂ  検出器
６    モータ
【図１】
2007125487.tif 000003
【図２】
2007125487.tif 000004
【図３】
2007125487.tif 000005
【図４】
2007125487.tif 000006
【図５】
2007125487.tif 000007
【図６】
2007125487.tif 000008